(57)【要約】【課題】従来、前工程から送られる分級純化前の粉粒体は供給量を調節することなく、シーブ層の上に供給されるので分級純化の品質が乱れ易かった。【解決手段】本発明は、フレーム１と、振動発生装置２が付設される框３４と、シープ層と、落下切替トラフ５ａと搬送トラフ５ｂとを一体化し、粉粒体供給口６と、分離物排出口７と、上部空気分配室８と、上部空気分配室の上部に設けた風量調節器９と、ストックホッパー１１とを備え、ストックホッパーとフレームとの間には粉粒体のストック量を計量するロードセル１２を介装させ、ロードセルと供給量制御装置１３とを電気的に接続させ、供給量制御装置により回転数制御されて回転するフィーダーロール１１ａをストックホッパーの排出口に設け、フィーダーロールの回転方向に空隙調整可能な排出空隙部を配設したものである。【選択図】図１
2004181442.tif 000002
【特許請求の範囲】
【請求項１】
粉粒体を粒径、比重等で分級純化する装置であって、フレームと、振動発生装置が付設された框と、該框には該框の振動運動の方向に併せ内装された複数枚のシーブが積設された複数組のシープ層と、該複数組のシープ層の下方で框に設けた分級純化後の粉粒体の粒度、純化の品質により落口を切替え分画する落口切替トラフ、分画落下する純化された粉粒体を受けるための複数の搬送トラフが装着され、框とは別に前記複数組のシープ層に分級純化前の粉粒体を供給するためにフレームに設けた粉粒体供給口と、前記シープ層の先端に設けた粗粒物排出口と、前記複数組のシープ層を貫通した空気を吸い込むために框の上方を覆うようにフレームに設けた多数の区画を有する上部空気分配室と、該上部空気分配室の夫々の上部に設けた夫々の風量調節器と、該夫々の風量調節器に接続させた吸引空気集合管と、分級純化前の粉粒体を前記粉粒体供給口に流入供給するストックホッパーとを備え、前記ストックホッパーとフレームとの間には粉粒体のストック量を計量するロードセルを介装させ、該ロードセルと供給量制御装置とを電気的に接続させ、該供給量制御装置により回転数制御されて回転するフィーダーロールを前記ストックホッパーの流出口にフィーダーロールの回転方向に排出空隙部を設けて配設し、該排出空隙部から粉粒体供給口に連続定量供給することを特徴とする粉粒体の振動気流分級純化装置。
【請求項２】
前記振動運動が付与される框の側面に複数のブラケットを突設させ、該複数のブラケットの下面に夫々框側防振ゴムを固定すると共に、フレームの側面の前記ブラケットと相対する位置に複数のフレーム側ブラケットを突設させ、該複数のフレーム側ブラケットの上面に夫々フレーム側防振ゴムを固定し、前記夫々の框側防振ゴムの下面と前記夫々のフレーム側防振ゴムの上面とを当接させてフレームに框を架設させると共に、前記夫々の框側防振ゴムと前記夫々のフレーム側防振ゴムとの側面の近傍に夫々ずれ防止手段を設けていることを特徴とする請求項１記載の粉粒体の振動気流分級純化装置。
【請求項３】
前記多数の上部空気分配室の上部に設けた夫々の風量調節器に水平方向にネジ棒を回動可能に貫設させ、該ネジ棒の基端に風量調整用フラップの開度表示付きの操作部を設け、ネジ棒のネジ部にはネジ棒の回動によって移動するナットを螺合させ、該ナットと枢動可能に枢着軸に枢着された風量調整用フラップとを結合させると共に、前記風量調整用フラップはシープ層に対して少なくとも４５度以上の傾斜角度で閉止し、９０度で全開可能とすることを特徴とする請求項１乃至請求項２に記載の粉粒体の振動気流分級純化装置。
【発明の詳細な説明】
【０００１】
【産業上の利用分野】
本発明は製粉工程において、供給される粉粒体を框に振動を付与することにより、該框に内装された複数組のジーブ層の振動運動と、該ジーブ層を下方より上方に穏やかに貫通する気流を併用して粒径分別純化する装置に関するものである。
【０００２】
【従来技術】
従来、この種の粉粒体の振動気流分級純化装置は、複数枚のジーブが併設された複数組のシーブ層を内装した框と落口切替トラフを一体化し、框をフレームの基部台から複数のスプリング等で支架し、一方、搬送トラフは框とは独立してスプリング等で基礎台等より支架し、框を加振するアンバランス振動発生装置より、レバー機構を介して框と異なった振動が与えられる構造のものがある（特許文献１参照）。
【０００３】
又、別の例では、複数のシーブ層を内装した框のみフレームより揺動可能な吊ロッドで懸吊し、一方、落口切替トラフと搬送トラフとを一体化してフレームより板スプリング等で支架し、框を加振するクランク軸回転による振動発生装置によりレバー機構により框と異なった振動を与えられる構造のものもあり、何れの場合も、シーブ層の上方は多数の上部空気分配室で仕切られ、その上部にはシーブ層を通過して吸い込まれる空気の流れを制御する風量調節器が取付けられているが、その風量調節器はフラップ開閉式（特許文献２参照）（特許文献３参照）は、断面扇形の柱状の回転バルブ式の調整手段を横設したものであり、更に、ストック供給ホッパーと框とは一緒に振動運動をしており、ストック供給ホッパーに流入される分級純化前の粉粒体を即シーブ層の上に供給する方式のものが知られている。
【０００４】
更には、ストック供給ホッパーと框と一緒に振動する前述の従来技術の装置では、シーブ層への分級純化前の粉粒体の供給がストック供給ホッパー内の粉粒体のレベルにより変動し、シーブ層の篩別負荷と、シーブ層を通過する空気量に影響し、純化品の品質及び歩留まりに大きく影響するものであった。
【０００５】
また、空気を吸い出す装置に吸引ダクト内に粉を付着沈着させない目的の横置きサイクロンを用いた装置（特許文献４参照）では、吸い出し空気量が多い場合は目的を達するが粉の吸い出しが多く歩留まりを下げ、風量を下げる定常運転ではサイクロン効果が失われ粉が沈着するものであった。
【０００６】
【特許文献１】
特公平１−１３９１６号公報
【特許文献２】
特公平１−１３９１７号公報
【特許文献３】
特公平１−２２８２７号公報
【特許文献４】
特公平１−２２８２６号公報
【０００７】
【発明が解決しようとする課題】
然し乍ら、従来の装置では、前工程から送られる分級純化前の粉粒体は供給量を調節することなく、シーブ層の上に供給されるので分級純化の品質が乱れ易く、又、吊ロットで吊るされるものは、吊ロッドの破損や劣化が起きており、更に、框と搬送トラフを分離して夫々振動させるための複雑な構造と成り、更に、風量調節器の上側に浮遊粉が堆積して適正な風量調節を妨げると共に、風量を一定に調節することが困難と成り、更には、堆積粉の変質や虫の発生など衛生上の問題も屡々発生していた。
【０００８】
【課題を解決するための手段】
本発明は、前述の課題に鑑み、鋭意研鑽の結果、請求項１に記載の粉粒体の振動気流分級純化装置においては、フレームと、振動発生装置が付設される框と、框の内部に框の振動運動の方向に併設内装された複数枚のシーブが積設された複数組のシープ層と、複数組のシープ層に設けた分級純化後の粉粒体を分級純化の度合いに応じて分画する落下切替トラフと、落下粉粒体を受けるための複数の搬送トラフとを一体化し、複数組のシープ層の上面に分級純化前の粉粒体を供給するためにフレームに設けた粉粒体供給口と、シープ層の先端に設けた粒径の大きい分離物排出口と、複数組のシープ層を貫通した空気を吸い込むために框の上方を覆うようにフレームに設けた多数の上部空気分配室と、多数の上部空気分配室の夫々の上部に設けた夫々の風量調節器と、夫々の風量調節器に接続させた吸引空気集合管と、分級純化前の粉粒体を前記粉粒体供給口に供給させるストックホッパーとを備え、ストックホッパーとフレームとの間には粉粒体のストック量を計量するロードセルを介装させ、ロードセルと供給量制御装置とを電気的に接続させ、供給量制御装置により回転数制御されて回転するフィーダーロールをストックホッパーの排出口に設け、フィーダーロールの回転方向に空隙調整可能な排出空隙部を設けて配設し、排出空隙部から粉粒体を連続定量供給するものである。
【０００９】
更に、本発明の請求項２に記載の粉粒体の振動気流分級純化装置は、振動運動が付与される框の側面に複数のブラケットを突設させ、複数の該ブラケットの下面に夫々框側防振ゴムを固定すると共に、フレームの側面に複数のフレーム側ブラケットを突設させ、複数のフレーム側ブラケットの下面に夫々フレーム側防振ゴムを固定し、框側防振ゴムの下面とフレーム側防振ゴムの上面とを当接させてフレームに框を架設させると共に、框側防振ゴムとフレーム側防振ゴムとの側面の近傍にずれ防止手段を設けているものである。
【００１０】
更には、本発明の請求項３に記載の粉粒体の振動気流分級純化装置は、多数の上部空気分配室の上部に設けた風量調節器に水平方向にネジ棒を回動可能に貫設させ、ネジ棒の基端に開度表示付操作部を設け、ネジ棒のネジ部にはネジ棒の回動によってネジ棒上を前後に移動するナットを螺合させ、ナットと枢動可能に枢着軸に枢着された風量調整用フラップとを結合させると共に、風量調整用フラップはシープ層に対して少なくとも４５度以上の傾斜角度を有して閉止可能とするものである。
【００１１】
【発明の作用】
本発明の粉粒体の振動気流分級純化装置は、框と分離したストックホッパーを備え、ストックホッパーにはストック量を検出するロードセルと、該ロードセルで検出したストック量に応じてフィーダーロールの回転を制御する供給制御装置が取り付けられており、適量の分級純化前の粉粒体を提供することを可能とし、更に、シーブ層と落口切替トラフと搬送トラフとを一体的に框に備え、振動発生装置よって振動運動を付与されている框の側部とフレームとの側部で框側防振ゴムとフレーム側防振ゴムとを背中合わせに当接させて、フレームに框を架設させるものであり、更には、吸引風量の調節はシーブ層に対して少なくとも４５度以上の角度を有して取付けた風量調節用フラップによって行い、空気と共に吸引される粉粒体の堆積を皆無としたものである。
【００１２】
従って、本発明の目的は、シーブ層に安定して分級純化前の粉粒体を供給すると共に、振動運動の付与による振動を効率よくシーブ層に付与し、更には、風量調節器に粉粒体の堆積を皆無とした粉粒体の分級生成装置を提供するものである。
【００１３】
【発明の実施の形態】
以下、本発明の粉粒体の振動気流分級純化装置の実施の形態の図面によって具体的に説明する。
【００１４】
図１は本発明の粉粒体の振動気流分級純化装置の実施の形態の概要を説明するための正面概要図であり、図２は本発明の粉粒体の振動気流分級純化装置の実施の形態の側面概要図であり、図３は本発明の粉粒体の振動気流分級純化装置の実施の形態のストックホッパーの要部説明図あり、図４は本発明の粉粒体の振動気流分級純化装置の実施の形態の防振ゴム部位の要部説明図であり、図５は本発明の粉粒体の振動気流分級純化装置の実施の形態の風量調整器の要部説明図である。
【００１５】
本発明は製粉工程において、框に内装された粉粒体を複数のシーブが積設された複数組のジーブ層の振動運動とシーブ層を上方に穏やかに貫通する気流を併用して粒径分級純化する装置に関するものであり、請求項１に記載の粉粒体の振動分級純化装置は、粉粒体を粒径と比重差で粒径分級純化する装置であって、フレーム１と、振動発生装置２と、該振動発生装置２により振動運動が付与される框３と、該框３の振動運動の方向に併せ内装された複数枚のシーブ４ａが積設された複数組のシーブ層４と、該複数組のシーブ層４の下方の框３に設けた分級純化後の粉粒体を粒径及び純化の程度に応じ、複数の分画された搬送トラフ５ｂに適宜切換えて落下供給する切替トラフ５ａと、複数の搬送トラフ５ｂと、前記複数組のシーブ層４の上面に分級純化前の粉粒体を供給するために框３に若干巾隔ててフレーム１に設けた粉粒体供給口６と、前記シーブ層４の先端側方フレーム１に設けた分離物排出口７と、前記複数組のシーブ層４を貫通させた空気を吸い込むために框３の上方を覆うようにフレーム１に設けた多数の上部空気分配室８と、該多数の上部空気分配室８の夫々の上方に設けた夫々の風量調節器９と、該夫々の風量調節器９に接続させた吸引空気集合管１０と、分級純化前の粉粒体を前記粉粒体供給口６に流入供給させるストックホッパー１１とを備え、前記ストックホッパー１１とフレーム１との間には粉粒体のストック量を計量するロードセル１２を介装させ、該ロードセル１２と供給量制御装置１３とを電気的に接続させ、該供給量制御装置１３により回転数制御されて回転するフィーダーロール１１ａを前記ストックホッパー１１の排出口にフィーダーロール１１ａの回転方向に排出隙間調整可能な排出空隙部１１ｂを設けて配設し、該排出空隙部１１ｂから粉粒体供給口６に連続定量供給するものである。
【００１６】
更に、請求項２に記載の粉粒体の振動気流分級純化装置は、請求項１記載の粉粒体の振動気流分級純化装置において、前記振動運動が付与される框３の側面に複数のブラケット３ａを突設させ、該複数のブラケット３ａの下面に夫々框側防振ゴム３ｂを固定すると共に、フレーム１の側面に複数のフレーム側ブラケット１ａを突設させ、該複数のフレーム側ブラケット１ａの上面に夫々フレーム側防振ゴム１ｂを固定し、前記夫々の框側防振ゴム３ｂの下面と前記夫々のフレーム側防振ゴム１ｂの上面とを当接させてフレーム１に框３を架設させると共に、前記夫々の框側防振ゴム３ｂと前記夫々のフレーム側防振ゴム１ｂとの側面の近傍に夫々ずれ防止手段１ｃを設けているものである。
【００１７】
更には、請求項３に記載の粉粒体の振動気流分級純化装置は、請求項１乃至請求項２に記載の粉粒体の振動気流分級純化装置において、前記多数の上部空気分配室８の上部に設けた夫々の風量調節器９に水平方向にネジ棒９ａを回動可能に貫設させ、該ネジ棒９ａの基端に風量調整用フラップの開度表示付きの操作部９ｂを設け、ネジ棒９ａのネジ部９ｃにはネジ棒９ａの回動によって移動するナット９ｄを螺合させ、該ナット９ｄと枢動可能に枢着軸９ｅに枢着された風量調整用フラップ９ｆとを結合させると共に、前記風量調整用フラップ９ｆはシーブ層４に対して少なくとも４５度以上の傾斜角度を有して閉止可能とするものである。
【００１８】
即ち、図１乃至図２に図示する如く、フレーム１は本装置を支えている架台であり、少なくとも４本の脚部と、夫々の脚部を矩形状に接続する横桁部材等を組設させているものであり、実施の形態では完全に独立して夫々粉粒体の分級純化を行う２組の框３等の振動気流分級純化手段がフレーム１に架設されているものである。
【００１９】
そして、振動発生装置２は框３に振動運動を付与するものである。
【００２０】
次に、框３は本発明の分級純化を行うためのケーシングであり、前記振動発生装置２により一定方向に振動運動が付与されると共に、後述する複数組のシーブ層４を振動方向に併せ内装し、下方には後述する複数の落口切替トラフ５ａ及び搬送トラフ５ｂを備えており、一方の後端より分級純化前の粉粒体を粉粒体供給口６より受け入れて、振動篩効果とシーブ層４を穏やかに貫通する上昇気流による純化を行い、篩過不能の粗粒等は先端より分離物排出口７に落下させ排出するものである。
【００２１】
次いで、シーブ層４は複数組を前記框３の振動運動の方向に併せ内装されているもので、夫々のシーブ層４は設定された特定メッシュの篩網状のシーブ４ａが複数枚積設されているもので、つまり、複数枚のシーブ４ａが積設されたシーブ層４が、更に、複数組並設されているもので、一方の後端に備えた後述する粉粒体供給口６側の網目を細目として順次粗目としているもので、粉粒体を篩いながら且つ空気を上方に穏やかに貫通させながら通過させて分級純化を行うものである。
【００２２】
更に、落口切替トラフ５ａは、前述の分級純化された粉粒体が、シーブ層４を構成するシーブ４ａの網目の構成からシーブ層４の全長に亘り粉粒体の粒径．純化程度等の品質面で分画を要するので、その品質の程度により、複数の落口のシャッターを操作し、目的とする品質の粉粒体を選り分け、直下に取付けた複数箇所の落口を有する搬送トラフ５ｂに落下供給するもので、搬送トラフ５ｂは框３と一体で振動しており底板の傾斜も作用して分級純化された粉粒体を品質により目的とする次工程に供給するため夫々の排出口を経て排出するものである。
【００２３】
更には、粉粒体供給口６は框３の複数組のシーブ層４の後端の上方に開口させているものであり、後述するストックホッパー１１の出口から供給される分級純化前の粉粒体を框３に内設されたシーブ層４の上に供給するためのものである。
【００２４】
そして、分離物排出口７はシーブ４ａで篩下されなかった粗粒等をシーブ層４の先端より落下排出するためのものでフレーム１に設けられているものである。
【００２５】
更に、多数の上部空気分配室８は複数組のシーブ層４の下方から空気をシーブ層４を貫通上昇させながら比重差等により粉粒体を純化する空気を吸い込むためのものであり、実施の形態では２組のシーブ層４の上方に夫々１つづつ架設し、その内部にシーブ層４の長手方向に直角に複数の仕切板を設け上部空気分配室８を形成しており、仕切板は最上部のシーブ４ａの上を流れる粉粒体に接触しない程度の僅かな隙間が設けられており、仕切板の内方は傘状の傾斜面を有した多数の上部空気分配室８を備えているもので、框３の上方を覆うようにフレーム１に配設されているものであり、傾斜面には全長にわたって取外し可能なガラス窓が取り付けられ、中央部にある蛍光灯により、外からシーブ層４の上を流れる粉粒体の流動状態を観察することが可能なものである。
【００２６】
次いで、風量調節器９は夫々の上部空気分配室８の上部に設けているもので、シーブ層４を下方から上方に通過させる空気の量を調整しているものであり、風量を調整するために後述する風量調整用フラップ９ｆを備えているものである。
【００２７】
次に、吸引空気集合管１０は上部空気分配室８との間に風量調節器９を介装して排出する空気を集めて吸引ファン１４で吸引すると共に、バブフィルター１５で処理して雰囲気中に放出するものである。
【００２８】
前述のように構成された粉粒体の振動気流分級純化装置において、ストックホッパー１１は、図３に図示する如く、上方を角筒状にして前工程より送り込まれる分級純化前の粉粒体を受け入れるものであり、下方はフィーダーロール１１ａの直近まで絞った形に形成され、下端には排出口を備え、その下に位置するフィーダーロール１１ａを備えるものである。
【００２９】
そして、ストックホッパー１１には支持部を設けてフレーム１に架設させているものであるが、支持部とフレーム１との間にはロードセル１２を介装させているものであり、ロードセル１２はストックホッパー１１の粉粒体のストック量を絶えず計量するものである。
【００３０】
次に、供給量制御装置１３はロードセル１２と電気的に接続させているもので、ストックホッパー１１にストックされている粉粒体のストック量をロードセル１２から入力され後述するフィーダーロール１１ａの駆動モーター（図示しない）の回転数を制御するものである。
【００３１】
次には、フィーダーロール１１ａはストックホッパー１１の排出口の下に横設しているもので、フィーダーロール１１ａと流出口とはフィーダーロール１１ａの回転方向に開度を調設できる排出空隙部１１ｂを備えているものであり、供給量制御装置１３により回転数が制御され設定された有効な量の分級純化前の粉粒体を流出空隙部１１ｂからシーブ層４の上に連続定量供給するものである。
【００３２】
即ち、前工程から送られて来る分級純化前の粉粒体は原料の性状（水分など僅かな変化）や粉砕、輸送、篩い分け等、前工程により周期的な流動変動が起こるもので、これらの変動をストックホッパー１１で吸収させ、フィーダーロール１１ａの制御はストックホッパー１１内のある範囲以下ではストック量に応じて僅かに回転数が変化するように設定し、設定範囲を超えた場合はストック量に比例させてフィィーダーロール１１ａの回転を増すように設定されており、このことにより従来技術では不可能であった粉粒体の流量の周期的変動は、分級純化性能に影響されない程度の僅かな変動に押さえられ常に良好な品質を確保し得るものであり、万一前工程のトラブルなどにより異常に多量のストックが供給された時は、ホッパー内の粉粒体のストック量が設定範囲を超え、フィーダーロール１１ａがストック量に応じて回転を上げ供給し、また前工程へのフィードバック或いは運転管理へのアラームの送信も可能となるものである。
【００３３】
更に、本発明の粉粒体の振動気流分級純化装置の框３の側壁の外側に少なくとも四方に突設したブラケット３ａの平坦状の下面に框側防振ゴム３ｂを固定すると共に、合致する位置のフレーム１にもフレーム側ブラケット１ａを突設した平坦状の上面にフレーム側防振ゴム１ｂを固定したものである。
【００３４】
そして、図４に図示する如く、框側防振ゴム３ｂの下面とフレーム側防振ゴム１ｂの上面とを当接させているものであり、つまり、フレーム１の上に振動運動が付与される框３を架設させているものであり、万一の前後方向へのずれが生じようとする時には框側防振ゴム３ｂとフレーム側防振ゴム１ｂとの側面の近傍に設けたずれ防止手段１ｃで支持してずれを防止するものである。
【００３５】
更には、本発明の粉粒体の振動気流分級純化装置の風量調節器９は、図５に図示する如く、多数の上部空気分配室８の上部に夫々設けており、雰囲気中に空気を放出する吸引空気集合管１０の下方との間に介装するもので、風量調節器９に設ける板状の風量調整用フラップ９ｆは枢動可能に枢着軸９ｅで枢着しているもので少なくとも４５度以上の傾斜角度を有して閉止可能としており、粉粒体の付着、堆積を皆無とするものである。
【００３６】
つまり、風量調節器９に水平方向に基端に風量調整用フラップ開度表示付のハンドル状の操作部９ｂを設けたネジ棒９ａを回動可能に貫設させ、ネジ棒９ａのネジ部９ｃには回動によって水平方向に移動するナット９ｄを螺合させ、該ナット９ｄには風量調整用フラップ９ｆとを結合させる結合用突起を突設し、該結合用突起を風量調整用フラップ９ｆに設けた摺動可能な結合用杆に係着させているものである。
【００３７】
そして、風量の調整は操作部９ｂを回動させることによってネジ棒９ａを回動させ、ネジ棒９ａの回動によってネジ部９ｃに螺合させたナット９ｄが水平方向に移動し、ナット９ｄの移動に伴って係合されている風量調整用フラップ９ｆが枢着するものであり、全閉状態で少なくともシーブ層４に対して４５度以上の角度を設けているもので、操作して全開状態では傾斜角度は最大の９０度となり、粉の堆積はゼロと成るものである。
【００３８】
本発明の粉粒体の振動気流分級純化装置は、先ず、前工程から送られる分級純化前の粉粒体をストックホッパー１１に流入させるもので、ストックホッパー１１とフレーム１との間に介装されたロードセル１２によりストック量を絶えず検知して供給量制御装置１３に出力しているものであり、供給量制御装置１３では適量の送出量に成るようにフィーダーロール１１ａの回転を制御し、流出間隙部から粉粒体供給口６に送出するものである。
【００３９】
この時、框３はシーブ層４、落口切替トラフ５ａ、搬送トラフ５ｂと共に框３に固着した振動発生装置２により一定方向に振動が付与され振動運動をしているもので、粉粒体供給口６から送られてきた分級純化前の粉粒体を分級するものである。
【００４０】
そして、振動発生装置２と一体となった框３は側壁に設けた框側防振ゴム３ｂと当接されたフレーム側防振ゴム１ｂによりフレーム１に架設されることにより自由振動体を構成し、フレーム１に与える振動は微弱で、フレーム材料を軽く単純構造にでき、また、框３、落口切替トラフ５ａ、搬送トラフ５ｂは一体に組み合わされ、同一振動を与えられる単純な構造であり、全体としては軽量且つ廉価で提供できるものである。
【００４１】
【発明の効果】
本発明の粉粒体の振動気流分級純化装置は、前述の構成により、框と分離させたストックホッパーを備え、ストックホッパーにはストック量を検出するロードセルと、該ロードセルで検出したストック量に応じてフィーダーロールの回転を制御する供給制御装置が取り付けられており、適量の分級純化前の粉粒体を前工程によるストック量の流入変動に対してその波を吸収し、コンスタントに略々定量供給することを可能とし品質一定の分級純化した粉粒体が得られ、更に、シーブ層と落口切替トラフと搬送トラフとを一体的に框に備え、その框に振動発生装置によって振動運動を付与し、框とフレームとの側壁に設けた框側防振ゴムとフレームの側壁に設けたフレーム側防振ゴムとを背中合わせに当接させて框を架設させるもので自由振動体を構成させ、フレームの軽量化が図れ、更には、吸引風量の調節はシーブ層と少なくとも４５度以上の角度を有して取付けた風量調節用フラップによって行うため、空気と共に吸引して粉粒体の付着、堆積は皆無と成り一度調整した風量は変化することなく常に一定に保たれると共に衛生上の問題も解決されたもので、画期的で実用性の高い発明である。
【図面の簡単な説明】
【図１】図１は本発明の粉粒体の振動気流分級純化装置の実施の形態の概要を説明するための正面概要図である。
【図２】図２は本発明の粉粒体の振動気流分級純化装置の実施の形態の側面概要図である。
【図３】図３は本発明の粉粒体の振動気流分級純化装置の実施の形態のストックホッパーの要部説明図ある。
【図４】図４は本発明の粉粒体の振動気流分級純化装置の実施の形態の防振ゴム部位の要部説明図である。
【図５】図５は本発明の粉粒体の振動気流分級純化装置の実施の形態の風量調整器の要部説明図である。
【符号の説明】
１      フレーム
１ａ    フレーム側ブラケット
１ｂ    フレーム側防振ゴム
１ｃ    ずれ防止手段
２      振動発生装置
３      框
３ａ    ブラケット
３ｂ    框側防振ゴム
４      シーブ層
４ａ    シーブ
５ａ    落口切替トラフ
５ｂ    搬送トラフ
６      粉粒体供給口
７      分離物排出口
８      上部空気分配室
９      風量調節器
９ａ    ネジ棒
９ｂ    操作部
９ｃ    ネジ部
９ｄ    ナット
９ｅ    枢着軸
９ｆ    風量調整用フラップ
１０    吸引空気集合管
１１    ストックホッパー
１１ａ  フィーダーロール
１１ｂ  排出空隙部
１２    ロードセル
１３    供給量制御装置
１４    吸引ファン
１５    バブフィルター
【図１】
2004181442.tif 000003
【図２】
2004181442.tif 000004
【図３】
2004181442.tif 000005
【図４】
2004181442.tif 000006
【図５】
2004181442.tif 000007